(57)【要約】【課題】挿入されたカードが簡単に引き抜かれるのを防止しつつ、カードの引抜きを防止する引抜き防止部材が故障等によって自動で動かなくなった場合には、カードを破損させることなくカードを引き抜くことが可能となるカードリーダを提供する。【解決手段】このカードリーダは、カード通過路を閉鎖する閉位置８Ａでカード２の引抜きを防止する引抜き防止部材８を備えている。引抜き防止部材８が閉位置８Ａに配置されているときにカード通過路の一部を閉鎖するカード当接部８ｄには、カード２の手前端２ａが当接可能な第１当接面８ｇと、第１当接面８ｇに繋がる第２当接面８ｈとが形成されている。第１当接面８ｇおよび第２当接面８ｈは、Ｚ２方向側に向かうにしたがってＸ２方向側へ向かうように傾斜する傾斜面になっているが、Ｚ方向に対する第１当接面８ｇの傾斜角度は、Ｚ方向に対する第２当接面８ｈの傾斜角度よりも小さくなっている。【選択図】図５
2018116415.tif 000002
【特許請求の範囲】
【請求項１】
カードに記録されたデータの読取りおよび前記カードへのデータの記録の少なくともいずれか一方を行うカードリーダにおいて、
前記カードが通過するカード通過路と、前記カード通過路を閉鎖する閉位置と前記カード通過路を開放する開位置との間で移動可能に構成され前記カードリーダに挿入された前記カードの引抜きを前記閉位置で防止する引抜き防止部材と、前記閉位置と前記開位置との間で前記引抜き防止部材を移動させる移動機構とを備え、
前記カード通過路を通過する前記カードの通過方向と前記カード通過路を通過する前記カードの厚さ方向とに直交する方向を前記カードの幅方向とし、前記カードリーダへの前記カードの挿入方向側を奥側とし、前記カードリーダからの前記カードの引抜き方向側を手前側とし、前記カードの厚さ方向の一方側を第１方向側とし、前記カードの厚さ方向の他方側を第２方向側とすると、
前記引抜き防止部材は、前記引抜き防止部材が前記閉位置に配置されているときに、前記カード通過路の一部を閉鎖するカード当接部を備え、
前記カード当接部は、前記引抜き防止部材が前記開位置から前記閉位置へ移動するときに第２方向側に向かって移動し、
前記カード当接部には、前記引抜き防止部材が前記閉位置に配置されているときに前記カードリーダに挿入された前記カードの手前端が当接可能な第１当接面と、前記第１当接面に繋がるとともに前記第１当接面よりも第２方向側に配置される第２当接面とが形成され、
前記第１当接面および前記第２当接面は、前記引抜き防止部材が前記閉位置に配置されている状態で前記カードの幅方向から見たときに、第２方向側に向かうにしたがって手前側へ向かうように傾斜する傾斜面になっており、
前記引抜き防止部材が前記閉位置に配置されている状態で前記カードの幅方向から見たときに、前記カードの厚さ方向に対する前記第１当接面の傾斜角度は、前記カードの厚さ方向に対する前記第２当接面の傾斜角度よりも小さくなっていることを特徴とするカードリーダ。
【請求項２】
前記移動機構が取り付けられる本体フレームを備え、
前記移動機構は、前記カード通過路よりも第１方向側に配置されるとともに、前記移動機構の奥端側部分が前記本体フレームに固定されていることを特徴とする請求項１記載のカードリーダ。
【請求項３】
前記引抜き防止部材は、前記閉位置と前記開位置との間で回動可能に構成され、
前記移動機構は、前記引抜き防止部材の回動中心となる回動中心軸と、前記回動中心軸を支持する軸支持部材とを備え、
前記回動中心軸の軸方向は、前記カードの幅方向と一致しており、
前記回動中心軸は、前記カード当接部よりも奥側に、かつ、前記カード通過路よりも第１方向側に配置されるとともに、前記軸支持部材の手前端側部分に支持され、
前記軸支持部材の奥端側部分が前記本体フレームに固定されていることを特徴とする請求項２記載のカードリーダ。
【請求項４】
前記回動中心軸の一端側は、前記軸支持部材に支持され、
前記本体フレームには、前記回動中心軸の他端側を支持するとともに前記回動中心軸の他端側の第１方向側への移動を規制する軸支持部が形成されていることを特徴とする請求項３記載のカードリーダ。
【請求項５】
前記引抜き防止部材が前記閉位置に配置されているときの、前記第１当接面と前記第２当接面との境界部分と、前記カードの第２方向側の面との前記カードの厚さ方向の距離は、前記カードの厚さと略等しくなっていることを特徴とする請求項１から４のいずれかに記載のカードリーダ。
【請求項６】
前記引抜き防止部材が前記閉位置に配置されているときの前記カードの厚さ方向における前記第１当接面の幅は、前記カードの厚さの２倍よりも広くなっていることを特徴とする請求項１から５のいずれかに記載のカードリーダ。
【請求項７】
前記引抜き防止部材が前記閉位置に配置されている状態で前記カードの幅方向から見たときに、前記カードの厚さ方向に対する前記第２当接面の傾斜角度は、前記カードの厚さ方向に対する前記第１当接面の傾斜角度の１０倍以上で１１倍以下となっていることを特徴とする請求項１から６のいずれかに記載のカードリーダ。
【請求項８】
前記カードリーダに前記カードが挿入され、かつ、前記引抜き防止部材が前記閉位置に配置されている状態で、前記カードリーダから前記カードを引き抜くときの前記カードの引抜力は、１．５ｋｇ以上で３．５ｋｇ以下となっていることを特徴とする請求項１から７のいずれかに記載のカードリーダ。
【請求項９】
前記カード当接部の奥端面は、前記第１当接面と前記第２当接面とによって構成され、
前記カード当接部の第２方向端面と前記第２当接面との境界部分、および、前記第１当接面と前記第２当接面との境界部分には、Ｒ加工が施されていることを特徴とする請求項１から８のいずれかに記載のカードリーダ。
【発明の詳細な説明】
【技術分野】
【０００１】
本発明は、カードに記録されたデータの読取りやカードへのデータの記録を行うカードリーダに関する。
【背景技術】
【０００２】
従来、カードを手動で操作して、カードに記録されたデータの読取りやカードへのデータの記録を行ういわゆるディップ式のカードリーダが知られている（たとえば、特許文献１参照）。特許文献１に記載のカードリーダには、カードが通過するカード通過路が形成されている。また、このカードリーダは、複数のＩＣ接点バネを有するＩＣ接点ブロックと、カードリーダに挿入されたカードの引抜きを防止するレバー部材とを備えている。レバー部材は、ソレノイドに連結されており、カード通過路を閉鎖する閉位置とカード通過路を開放する開位置との間で回動可能となっている。
【０００３】
特許文献１に記載のカードリーダでは、カードリーダにカードが挿入され、カードに形成されるＩＣチップの外部接続端子とＩＣ接点バネとが接触してデータの通信を行っているときに、カードリーダからカードが引き抜かれると、カードに記録されるべきデータが記録されなかったり、カードに記録されていたデータが消去されてしまったりする等の問題が生じる。そのため、このカードリーダでは、カードリーダにカードが挿入され、ＩＣチップの外部接続端子とＩＣ接点バネとが接触してデータの通信を行っているときには、閉位置に配置されるレバー部材によってカードの引抜きが防止されている。
【０００４】
また、特許文献１に記載のカードリーダでは、レバー部材は、レバー部材が閉位置に配置されているときにカード通過路の一部を閉鎖するカード当接部を備えている。カード当接部の奥端面は、レバー部材が閉位置に配置されているときに下側に向かうにしたがって奥側へ向かうように傾斜する傾斜面となっている。そのため、このカードリーダでは、カードリーダから引き抜かれるカードの手前端がカード当接部の奥端面に当接すると、カードの手前端が持ち上げられるとともに、レバー部材が閉位置に向かう方向の力がレバー部材に作用して、レバー部材が開位置へ移動しにくくなる。したがって、このカードリーダでは、レバー部材によって、カードリーダに挿入されたカードの引抜きを確実に防止することが可能になっている。
【先行技術文献】
【特許文献】
【０００５】
【特許文献１】特開２０１６−１２２３７６号公報
【発明の概要】
【発明が解決しようとする課題】
【０００６】
上述のように、特許文献１に記載のカードリーダでは、レバー部材によって、カードリーダに挿入されたカードの引抜きを確実に防止することが可能になっている。一方で、特許文献１に記載のカードリーダでは、カードリーダにカードが挿入された後、ソレノイドの故障等の何らかの原因によって、閉位置にあるレバー部材を開位置へ自動で回動させることができなくなった場合に、カードリーダからカードを引き抜くことは困難である。また、カードリーダからカードを強引に引き抜こうとすると、カードが破損するおそれがある。
【０００７】
すなわち、特許文献１に記載のカードリーダでは、カードリーダにカードが挿入された後、閉位置にあるレバー部材を開位置へ自動で回動させることができなくなった場合に、ユーザが、カードを破損させることなく、カードリーダからカードを引き抜くことは非常に困難である。なお、特許文献１に記載のカードリーダでは、カードリーダにカードが挿入された後、閉位置にあるレバー部材を開位置へ自動で回動させることができなくなった場合に、カードリーダからカードを強引に引き抜こうとすると、カードリーダが損傷するおそれもある。
【０００８】
そこで、本発明の課題は、挿入されたカードが簡単に引き抜かれるのを防止しつつ、カードの引抜きを防止する引抜き防止部材が故障等によって自動で動かなくなった場合には、カードを破損させることなくカードを引き抜くことが可能となるカードリーダを提供することにある。
【課題を解決するための手段】
【０００９】
上記の課題を解決するため、本発明のカードリーダは、カードに記録されたデータの読取りおよびカードへのデータの記録の少なくともいずれか一方を行うカードリーダにおいて、カードが通過するカード通過路と、カード通過路を閉鎖する閉位置とカード通過路を開放する開位置との間で移動可能に構成されカードリーダに挿入されたカードの引抜きを閉位置で防止する引抜き防止部材と、閉位置と開位置との間で引抜き防止部材を移動させる移動機構とを備え、カード通過路を通過するカードの通過方向とカード通過路を通過するカードの厚さ方向とに直交する方向をカードの幅方向とし、カードリーダへのカードの挿入方向側を奥側とし、カードリーダからのカードの引抜き方向側を手前側とし、カードの厚さ方向の一方側を第１方向側とし、カードの厚さ方向の他方側を第２方向側とすると、引抜き防止部材は、引抜き防止部材が閉位置に配置されているときに、カード通過路の一部を閉鎖するカード当接部を備え、カード当接部は、引抜き防止部材が開位置から閉位置へ移動するときに第２方向側に向かって移動し、カード当接部には、引抜き防止部材が閉位置に配置されているときにカードリーダに挿入されたカードの手前端が当接可能な第１当接面と、第１当接面に繋がるとともに第１当接面よりも第２方向側に配置される第２当接面とが形成され、第１当接面および第２当接面は、引抜き防止部材が閉位置に配置されている状態でカードの幅方向から見たときに、第２方向側に向かうにしたがって手前側へ向かうように傾斜する傾斜面になっており、引抜き防止部材が閉位置に配置されている状態でカードの幅方向から見たときに、カードの厚さ方向に対する第１当接面の傾斜角度は、カードの厚さ方向に対する第２当接面の傾斜角度よりも小さくなっていることを特徴とする。
【００１０】
本発明のカードリーダでは、カード通過路の一部を閉鎖するカード当接部に、引抜き防止部材が閉位置に配置されているときにカードリーダに挿入されたカードの手前端が当接可能な第１当接面と、第１当接面に繋がるとともに第１当接面よりも第２方向側に配置される第２当接面とが形成されている。第１当接面および第２当接面は、引抜き防止部材が閉位置に配置されている状態でカードの幅方向から見たときに、第２方向側に向かうにしたがって手前側へ向かうように傾斜する傾斜面になっているが、引抜き防止部材が閉位置に配置されている状態でカードの幅方向から見たときに、カードの厚さ方向に対する第１当接面の傾斜角度は、カードの厚さ方向に対する第２当接面の傾斜角度よりも小さくなっている。そのため、本発明では、引抜き防止部材が閉位置に配置されているときにカードの厚さ方向に対する傾斜角度が小さくなっている第１当接面を用いて、カードリーダに挿入されたカードが簡単に引き抜かれるのを防止することが可能になる。
【００１１】
また、本発明では、カード当接部は、引抜き防止部材が開位置から閉位置へ移動するときに第２方向側に向かって移動し、第１当接面は、引抜き防止部材が閉位置に配置されているときに、第２方向側に向かうにしたがって手前側へ向かうように傾斜する傾斜面になっている。そのため、本発明では、引抜き防止部材が閉位置に配置されている状態で、カードリーダから引き抜かれるカードの手前端が第１当接面に当接すると、カード当接部が第１方向側へ向かう方向の力が引抜き防止部材に作用する。したがって、本発明では、引抜き防止部材が閉位置に配置されている状態で、カードリーダに挿入されたカードをある程度の力で引き抜こうとすれば、カード当接部を第１方向側に向かって移動させ始めることが可能になる。
【００１２】
また、カード当接部が第１方向側に向かって移動し始めると、第１当接面に当接していたカードの手前端を第２当接面に当接させることが可能になる。カードの厚さ方向に対する第２当接面の傾斜角度は、カードの厚さ方向に対する第１当接面の傾斜角度より大きくなっているため、カードの手前端が第２当接面に当接した後は、比較的小さな力でカードを引き抜こうとしても、第１方向側に向かってカード当接部を移動させることが可能になる。このように本発明では、引抜き防止部材が閉位置に配置されている状態で、カードリーダに挿入されたカードをある程度の力で引き抜こうとすれば、カード当接部を第１方向側に向かって移動させることが可能になるため、引抜き防止部材が移動機構の故障等によって自動で動かなくなった場合には、カードを破損させることなくカードリーダからカードを引き抜くことが可能になる。
【００１３】
本発明において、カードリーダは、移動機構が取り付けられる本体フレームを備え、移動機構は、カード通過路よりも第１方向側に配置されるとともに、移動機構の奥端側部分が本体フレームに固定されていることが好ましい。
【００１４】
このように構成すると、移動機構の手前端側部分が本体フレームに固定されていないため、カードリーダから引き抜かれるカードの手前端が第１当接面に当接したときに、移動機構の手前端側部分を第１方向側へ移動させやすくなり、移動機構および引抜き防止部材を第１方向側へ移動させやすくなる。すなわち、カードリーダから引き抜かれるカードの手前端が第１当接面に当接したときに、カード当接部を第１方向側へ移動させやすくなる。したがって、引抜き防止部材が移動機構の故障等によって自動で動かなくなった場合にカードリーダからカードを引き抜くときのカードの破損を効果的に防止することが可能になる。また、カードリーダの損傷を効果的に防止することが可能になる。
【００１５】
本発明において、たとえば、引抜き防止部材は、閉位置と開位置との間で回動可能に構成され、移動機構は、引抜き防止部材の回動中心となる回動中心軸と、回動中心軸を支持する軸支持部材とを備え、回動中心軸の軸方向は、カードの幅方向と一致しており、回動中心軸は、カード当接部よりも奥側に、かつ、カード通過路よりも第１方向側に配置されるとともに、軸支持部材の手前端側部分に支持され、軸支持部材の奥端側部分が本体フレームに固定されている。
【００１６】
この場合には、軸支持部材の手前端側部分が本体フレームに固定されていないため、カードリーダから引き抜かれるカードの手前端が第１当接面に当接したときに、軸支持部材の手前端側部分を第１方向側へ移動させやすくなり、回動中心軸および引抜き防止部材を第１方向側へ移動させやすくなる。すなわち、カードリーダから引き抜かれるカードの手前端が第１当接面に当接したときに、カード当接部を第１方向側へ移動させやすくなる。したがって、引抜き防止部材が移動機構の故障等によって自動で動かなくなった場合にカードリーダからカードを引き抜くときのカードの破損を効果的に防止することが可能になる。また、カードリーダの損傷を効果的に防止することが可能になる。
【００１７】
本発明において、回動中心軸の一端側は、軸支持部材に支持され、本体フレームには、回動中心軸の他端側を支持するとともに回動中心軸の他端側の第１方向側への移動を規制する軸支持部が形成されていることが好ましい。このように構成すると、カードリーダから引き抜かれるカードの手前端が第１当接面に当接したときに、軸支持部材の手前端側部分を第１方向側へ移動させやすくなっていても、カードを引き抜こうとする力が弱い場合には、回動中心軸および引抜き防止部材が第１方向側へ移動するのを防止することが可能になる。したがって、カードを引き抜こうとする力が弱い場合には、第１方向側に向かってカード当接部が移動するのを防止することが可能になり、その結果、カードリーダに挿入されたカードが簡単に引き抜かれるのを防止することが可能になる。
【００１８】
本発明において、引抜き防止部材が閉位置に配置されているときの、第１当接面と第２当接面との境界部分と、カードの第２方向側の面とのカードの厚さ方向の距離は、カードの厚さと略等しくなっていることが好ましい。このように構成すると、カード当接部が第１方向側に向かって移動し始めたときに、第１当接面に当接していたカードの手前端を第２当接面に当接させやすくなる。
【００１９】
本発明において、引抜き防止部材が閉位置に配置されているときのカードの厚さ方向における第１当接面の幅は、たとえば、カードの厚さの２倍よりも広くなっている。
【００２０】
本発明において、引抜き防止部材が閉位置に配置されている状態でカードの幅方向から見たときに、カードの厚さ方向に対する第２当接面の傾斜角度は、たとえば、カードの厚さ方向に対する第１当接面の傾斜角度の１０倍以上で１１倍以下となっている。
【００２１】
本発明において、カードリーダにカードが挿入され、かつ、引抜き防止部材が閉位置に配置されている状態で、カードリーダからカードを引き抜くときのカードの引抜力は、たとえば、１．５ｋｇ以上で３．５ｋｇ以下となっている。この場合には、カードリーダにカードが挿入され、かつ、引抜き防止部材が閉位置に配置されている状態で、カードリーダに挿入されたカードを親指と人差指とで摘まんで簡単に引き抜くことはできないが、引抜き防止部材が移動機構の故障等によって自動で動かなくなれば、親指と人差指とでカードを摘まんでカードを引き抜くことが可能になる。
【００２２】
本発明において、カード当接部の奥端面は、第１当接面と第２当接面とによって構成され、カード当接部の第２方向端面と第２当接面との境界部分、および、第１当接面と第２当接面との境界部分には、Ｒ加工が施されていることが好ましい。このように構成すると、引抜き防止部材が自動で動かなくなった場合にカードを引き抜くときの、カードの傷の発生を抑制することが可能になる。
【発明の効果】
【００２３】
以上のように、本発明では、カードリーダに挿入されたカードが簡単に引き抜かれるのを防止しつつ、カードの引抜きを防止する引抜き防止部材が故障等によって自動で動かなくなった場合には、カードを破損させることなくカードリーダからカードを引き抜くことが可能となる。
【図面の簡単な説明】
【００２４】
【図１】本発明の実施の形態にかかるカードリーダの構造を説明するための平面図である。
【図２】図１に示すカードリーダの一部分の斜視図である。
【図３】図１に示すカードリーダの構造を説明するための縦断面図である。
【図４】図１に示すＩＣ接点ブロックの動作を説明するための側面図である。
【図５】図３に示す引抜き防止部材および軸支持部材の一部等を示す図である。
【図６】図５のＥ部の拡大図である。
【発明を実施するための形態】
【００２５】
以下、図面を参照しながら、本発明の実施の形態を説明する。
【００２６】
（カードリーダの全体構成）
図１は、本発明の実施の形態にかかるカードリーダ１の構造を説明するための平面図である。図２は、図１に示すカードリーダ１の一部分の斜視図である。図３は、図１に示すカードリーダ１の構造を説明するための縦断面図である。図４は、図１に示すＩＣ接点ブロック６の動作を説明するための側面図である。
【００２７】
本形態のカードリーダ１は、ユーザが手動でカード２を操作して、カード２に記録されたデータの読取りおよびカード２へのデータの記録の少なくともいずれか一方を行うための装置である。具体的には、カードリーダ１は、カードリーダ１へのカード２の挿入とカードリーダ１からのカード２の引抜きとを手動で行ってデータの読取りや記録を行ういわゆるディップ式のカードリーダである。このカードリーダ１は、所定の上位装置（図示省略）に搭載されて使用される。
【００２８】
図３に示すように、カードリーダ１には、カード２が通過するカード通過路３が形成されている。カードリーダ１は、内部にカード通過路３が形成される本体フレーム４と、複数のＩＣ接点バネ５を有するＩＣ接点ブロック６と、磁気ヘッド７とを備えている。また、カードリーダ１は、カードリーダ１に挿入されたカード２の引抜きを防止する引抜き防止部材としてのレバー部材８と、レバー部材８を移動させる移動機構９とを備えている。
【００２９】
本形態では、図１等に示すＸ方向にカード２が通過する。具体的には、Ｘ１方向にカード２が挿入され、Ｘ２方向にカード２が引き抜かれる。すなわち、Ｘ方向は、カード通過路３を通過するカード２の通過方向であり、Ｘ１方向側は、カードリーダ１へのカード２の挿入方向側であり、Ｘ２方向側は、カードリーダ１からのカード２の引抜き方向側である。また、Ｘ方向に直交する図１等のＺ方向は、カード通過路３を通過するカード２の厚さ方向であり、Ｘ方向とＺ方向とに直交する図１等のＹ方向は、カード通過路３を通過するカード２の幅方向である。
【００３０】
以下の説明では、Ｘ方向を「前後方向」、Ｙ方向を「左右方向」、Ｚ方向を「上下方向」とする。また、Ｘ１方向側を「奥（後ろ）」側、Ｘ２方向側を「手前（前）」側、Ｚ１方向側を「上」側、Ｚ２方向側を「下」側とする。本形態では、上側（Ｚ１方向側）は、カード２の厚さ方向の一方側である第１方向側であり、下側（Ｚ２方向側）は、カード２の厚さ方向の他方側である第２方向側である。
【００３１】
カード２は、厚さが０．７〜０．８ｍｍ程度の略長方形状の塩化ビニール製のカードである。このカード２は、国際規格やＪＩＳ規格に準拠したカードである。カード２の裏面には、磁気データが記録される磁気ストライプが形成されている。また、カード２には、ＩＣチップが内蔵されており、カード２のおもて面には、ＩＣチップの外部接続端子が形成されている。カード２は、カード２のおもて面が上側を向くとともにカード２の長手方向が前後方向と略一致した状態でカードリーダ１に挿入される。
【００３２】
図１に示すように、カードリーダ１の手前端側の一部分は、ユーザによるカード２の挿入およびカード２の引抜きが可能となるように切り欠かれた切欠部１３となっている。具体的には、上下方向から見たときの形状が略Ｕ形状となる切欠部１３が、本体フレーム４の手前端から奥側に向かって切り欠かれるように形成されている。また、左右方向では、本体フレーム４の中間位置に切欠部１３が形成されており、左右方向における切欠部１３の両側には、突出部１４、１５が形成されている。切欠部１３の左右方向の幅は、ユーザの指が入る広さとなっている。
【００３３】
図３に示すように、カード通過路３は、左右方向から見たときの形状が直線状となるように形成されている。カード通過路３の手前端は、カード２が挿入される挿入口１６となっている。すなわち、突出部１４、１５の手前端に挿入口１６が形成されている。磁気ヘッド７は、突出部１４の手前端部分に配置されている。また、磁気ヘッド７は、磁気ヘッド７のギャップが下側からカード通過路３に臨むように配置されている。
【００３４】
ＩＣ接点ブロック６は、カードリーダ１の奥端側部分に配置されている。また、ＩＣ接点ブロック６は、ＩＣ接点バネ５が上側からカード通過路３に臨むように配置されており、ＩＣ接点ブロック６は、カード通過路３の上側に配置されている。図４に示すように、ＩＣ接点ブロック６の奥端には、カード２の先端（奥端）が係合するカード係合部６ａが形成されている。
【００３５】
また、ＩＣ接点ブロック６は、平行リンク機構１８を介して本体フレーム４の上面側部分に連結されており、前後方向にスライドしながら上下動する。具体的には、ＩＣ接点ブロック６は、図４（Ｂ）に示すように、奥側に移動すると下降し、図４（Ａ）に示すように、手前側に移動すると上昇する。また、ＩＣ接点ブロック６は、引張りコイルバネ１９によって手前側に付勢されている。なお、本体フレーム４に形成されるガイド溝にＩＣ接点ブロック６の一部が係合するとともに、このガイド溝に案内されて、ＩＣ接点ブロック６が前後方向にスライドしながら上下動しても良い。
【００３６】
本形態では、カードリーダ１の奥側へ挿入されたカード２の先端がＩＣ接点ブロック６のカード係合部６ａに係合すると、ＩＣ接点ブロック６が奥側にスライドしながら下降して、カード２の外部接続端子に複数のＩＣ接点バネ５が接触する（図４（Ｂ）参照）。また、奥側に挿入されたカード２が手前側に引き抜かれると、カード２のおもて面からＩＣ接点バネ５が離れるように、引張りコイルバネ１９の付勢力によって、ＩＣ接点ブロック６が手前側にスライドしながら上昇する（図４（Ａ）参照）。
【００３７】
なお、本形態では、ＩＣ接点ブロック６が奥側にスライドしながら下降してカード２の外部接続端子に複数のＩＣ接点バネ５が接触し、カード２が奥側へ移動できなくなったときのカード２の位置（図４（Ｂ）に示す位置）が、カード２の外部接続端子とカードリーダ１とが通信を行うときの設計上のカード２の位置である。
【００３８】
（レバー部材および移動機構の構成）
図５は、図３に示すレバー部材８および軸支持部材２５の一部等を示す図である。図６は、図５のＥ部の拡大図である。
【００３９】
レバー部材８は、カード通過路３を閉鎖する閉位置８Ａ（図３に示す位置および図５の実線で示す位置）とカード通過路３を開放する開位置８Ｂ（図２に示す位置および図５の二点鎖線で示す位置）との間で移動可能となっている。具体的には、レバー部材８は、閉位置８Ａと開位置８Ｂとの間で回動可能となっている。レバー部材８は、カードリーダ１に挿入されたカード２の引抜きを閉位置８Ａで防止する。移動機構９は、閉位置８Ａと開位置８Ｂとの間でレバー部材８を回動させる。この移動機構９は、本体フレーム４に取り付けられている。また、移動機構９は、カード通過路３よりも上側に配置されている。
【００４０】
移動機構９は、ソレノイド２１と、ソレノイド２１のプランジャ２１ａに固定される固定ピン２２と、レバー部材８の回動中心となる回動中心軸２４と、回動中心軸２４を支持する軸支持部材２５とを備えている。ソレノイド２１は、プランジャ２１ａが手前側へ突出するように本体フレーム４に固定されている。固定ピン２２は、固定ピン２２の軸方向と左右方向とが一致するように配置されている。また、固定ピン２２は、固定ピン２２の左右の両端側部分がプランジャ２１ａから突出するようにプランジャ２１ａに固定されている。回動中心軸２４は、回動中心軸２４の軸方向と左右方向とが一致するように配置されている。すなわち、回動中心軸２４の軸方向は、カード２の幅方向と一致している。
【００４１】
軸支持部材２５は、鋼板等の金属製の板状部材が所定形状に折り曲げられることで形成されている。この軸支持部材２５は、カード通過路３よりも上側に配置されている。軸支持部材２５は、左右方向においてソレノイド２１のプランジャ２１ａを挟むように配置される２個の側面部２５ａ、２５ｂを備えている。側面部２５ａ、２５ｂは、左右方向に直交する平板状に形成されている。側面部２５ａは、左右方向におけるカードリーダ１の一端側に配置され、側面部２５ｂは、左右方向におけるカードリーダ１の中心側に配置されている。
【００４２】
前後方向における側面部２５ａの長さは、前後方向における側面部２５ｂの長さよりも長くなっている。側面部２５ａの奥端は、ソレノイド２１の本体部の奥端よりも奥側に配置されている。一方、側面部２５ｂの奥端は、ソレノイド２１の本体部の手前端よりも手前側に配置されている。側面部２５ａの下端と側面部２５ｂの下端とは、底面部２５ｃ（図１参照）によって繋がれている。側面部２５ａ、２５ｂには、固定ピン２２の左右の両端側部分のそれぞれが挿通されるガイド溝２５ｄが形成されている。ガイド溝２５ｄは、前後方向を長手方向とする長孔状に形成されている。
【００４３】
側面部２５ａの奥端側には、本体フレーム４に固定される被固定部２５ｅが繋がっている。被固定部２５ｅは、上下方向に直交する平板状に形成されており、側面部２５ａの奥端側部分の上端に繋がっている。この被固定部２５ｅは、ソレノイド２１の奥側に配置されている。被固定部２５ｅは、ネジ２６によって本体フレーム４に固定されている。すなわち、軸支持部材２５の奥端側部分がネジ２６によって本体フレーム４に固定されており、移動機構９の奥端側部分が本体フレーム４に固定されている。
【００４４】
本形態では、軸支持部材２５の奥端側部分の１箇所が本体フレーム４に固定されており、軸支持部材２５の手前端側部分は、本体フレーム４に固定されていない。すなわち、移動機構９の奥端側部分の１箇所が本体フレーム４に固定されており、移動機構９の手前端側部分は、本体フレーム４に固定されていない。
【００４５】
回動中心軸２４は、カード通過路３よりも上側に配置されている。また、回動中心軸２４は、ソレノイド２１のプランジャ２１ａよりも手前側に配置されている。回動中心軸２４の一端側は、軸支持部材２５の手前端側部分に支持されている。具体的には、回動中心軸２４の一端側は、側面部２５ａの手前端側部分に支持されている。側面部２５ａの手前端側部分には、回動中心軸２４の一端側が挿通される貫通穴が形成されている。この貫通穴は、ガイド溝２５ｄよりも前側に形成されている。
【００４６】
回動中心軸２４の他端側は、本体フレーム４に形成される軸支持部４ａに支持されている。すなわち、本体フレーム４には、回動中心軸２４の他端側を支持する軸支持部４ａが形成されている。軸支持部４ａには、奥端が開口する略Ｕ形状の凹部が形成されており、回動中心軸２４の他端側は、この凹部に嵌っている。
【００４７】
本形態では、回動中心軸２４の他端側の上端が凹部の上側面に接触し、回動中心軸２４の他端側の下端と凹部の下側面との間には隙間が形成されている。すなわち、軸支持部４ａによって、回動中心軸２４の他端側の上側への移動が規制されている。また、回動中心軸２４の他端側の手前端は凹部の前側面に接触し、軸支持部４ａの凹部の奥端に形成される開口部の上下方向の幅は、回動中心軸２４の他端側の外径よりも大きくなっている。すなわち、軸支持部４ａによって、回動中心軸２４の他端側の前側への移動が規制されている。
【００４８】
レバー部材８は、鋼板等の金属製の板状部材が所定形状に折り曲げられることで形成されている。このレバー部材８は、回動中心軸２４に回動可能に保持されており、左右方向を回動の軸方向として、かつ、回動中心軸２４を中心にして回動可能となっている。また、レバー部材８は、回動中心軸２４に支持される回動中心部８ａと、回動中心部８ａから手前側に向かって延びる延出部８ｂと、延出部８ｂの手前端から下側へ延びるカード当接部８ｄと、回動中心部８ａから奥側に向かって延びるカム溝形成部８ｅとを備えている。
【００４９】
回動中心部８ａは、前後両端側と下側とが開口する略角溝状に形成されている。回動中心部８ａには、回動中心軸２４が挿通されている。回動中心部８ａは、カード当接部８ｄよりも奥側に配置されているため、回動中心軸２４は、カード当接部８ｄよりも奥側に配置されている。回動中心部８ａは、カード通過路３よりも上側に配置されている。
【００５０】
カム溝形成部８ｅは、略長方形の平板状に形成されている。このカム溝形成部８ｅは、カム溝形成部８ｅの厚さ方向と左右方向とが一致するように配置されている。カム溝形成部８ｅの手前端は、回動中心部８ａの左右方向の一端に繋がっている。また、カム溝形成部８ｅは、軸支持部材２５の側面部２５ｂと隣り合うように、左右方向におけるカードリーダ１の中心側に配置されている。カム溝形成部８ｅには、固定ピン２２の左右方向の一端側部分が挿通されるカム溝８ｆが形成されている。カム溝形成部８ｅは、カード通過路３よりも上側に配置されている。
【００５１】
延出部８ｂは、前後方向に細長い略長方形の平板に形成されている。この延出部８ｂは、延出部８ｂの厚さ方向と左右方向とが一致するように配置されている。延出部８ｂの奥端は、回動中心部８ａの左右方向の他端に繋がっている。延出部８ｂは、カード通過路３よりも上側に配置されている。
【００５２】
図３に示すように、カード当接部８ｄは、レバー部材８が閉位置８Ａに配置されているときに、カード通過路３の一部を閉鎖している。具体的には、カード当接部８ｄは、レバー部材８が閉位置８Ａに配置されているときに、突出部１４の手前側部分に形成されるカード通過路３の一部を閉鎖している。上述のように、延出部８ｂは、カード通過路３よりも上側に配置されており、カード当接部８ｄは、レバー部材８が開位置８Ｂから閉位置８Ａへ移動するときに上側から下側に向かって移動する。
【００５３】
カード当接部８ｄには、レバー部材８が閉位置８Ａに配置されているときに、カードリーダ１に挿入されたカード２の手前端２ａ（図５、図６参照）が当接可能な第１当接面８ｇと、第１当接面８ｇに繋がるとともに第１当接面８ｇよりも下側に配置される第２当接面８ｈとが形成されている。すなわち、カード当接部８ｄの奥端面には、第１当接面８ｇと第２当接面８ｈとが形成されている。本形態では、第１当接面８ｇと第２当接面８ｈとによってカード当接部８ｄの奥端面が構成されている。
【００５４】
第１当接面８ｇおよび第２当接面８ｈは、レバー部材８が閉位置８Ａに配置されている状態で左右方向から見たときに、図６に示すように、下側に向かうにしたがって手前側へ向かうように傾斜する傾斜面となっている。また、レバー部材８が閉位置８Ａに配置されている状態で左右方向から見たときに、上下方向に対する第１当接面８ｇの傾斜角度θ１は、上下方向に対する第２当接面８ｈの傾斜角度θ２よりも小さくなっている。具体的には、レバー部材８が閉位置８Ａに配置されている状態で左右方向から見たときに、傾斜角度θ２は、傾斜角度θ１の１０倍以上で１１倍以下となっている。本形態の傾斜角度θ１は、約４°となっており、傾斜角度θ２は、約４０°となっている。
【００５５】
また、本形態では、レバー部材８が閉位置８Ａに配置されているときの、第１当接面８ｇと第２当接面８ｈとの境界部分とカード２の下面との上下方向の距離Ｌ（図６参照）は、カード２の厚さｔと略等しくなっている。たとえば、厚さｔは、０．７６（ｍｍ）となっており、距離Ｌは、０．７５（ｍｍ）となっている。また、レバー部材８が閉位置８Ａに配置されているときの上下方向における第１当接面８ｇの幅Ｈ１（図６参照）は、カード２の厚さの２倍よりも広くなっている。また、レバー部材８が閉位置８Ａに配置されているときの上下方向における第２当接面８ｈの幅Ｈ２（図６参照）は、たとえば、１．２（ｍｍ）となっている。
【００５６】
図６に示すように、第１当接面８ｇと第２当接面８ｈとの境界部分には、Ｒ加工が施されている。また、カード当接部８ｄの下端面８ｋと第２当接面８ｈとの境界部分にも、Ｒ加工が施されている。すなわち、第１当接面８ｇと第２当接面８ｈとの境界部分、および、下端面８ｋと第２当接面８ｈとの境界部分は、滑らかな凸曲面状に形成されている。
【００５７】
上述のように、ソレノイド２１のプランジャ２１ａに固定される固定ピン２２の左右の両端側部分は、軸支持部材２５のガイド溝２５ｄに挿通されており、プランジャ２１ａはガイド溝２５ｄに沿って前後方向へ移動する。また、固定ピン２２の左右方向の一端側部分は、レバー部材８のカム溝８ｆに挿通されており、プランジャ２１ａが前後方向へ移動すると、回動中心軸２４を中心にして、閉位置８Ａと開位置８Ｂとの間でレバー部材８が回動する。本形態では、カード２の外部接続端子に複数のＩＣ接点バネ５が接触して奥側へ移動できなくなった状態のカード２の手前端２ａと、閉位置８Ａと開位置８Ｂとの間で移動する第１当接面８ｇとの間には隙間が形成されている。
【００５８】
カードリーダ１にカード２が挿入されていない待機時には、レバー部材８は、開位置８Ｂにある。また、カードリーダ１は、カード通過路３の奥側までカード２が挿入されたことを検知するための検知機構を備えており、この検知機構での検知結果に基づいてカード通過路３の奥側までカード２が挿入されたことが検知されると、レバー部材８は、開位置８Ｂから閉位置８Ａへ移動する。
【００５９】
レバー部材８が閉位置８Ａにあるときには、上述のように、レバー部材８は、カードリーダ１に挿入されたカード２の引抜きを防止する。具体的には、レバー部材８は、カード２の外部接続端子とＩＣ接点バネ５とが接触してデータの読取りや記録（通信）を行っているときのカード２の引抜きを防止する。また、カードリーダ１とカード２との間の通信が終了して、カードリーダ１でのカード２の処理が終了すると、レバー部材８は、閉位置８Ａから開位置８Ｂへ移動する。
【００６０】
本形態では、カードリーダ１にカード２が挿入され、かつ、レバー部材８が閉位置８Ａに配置されている状態で、カードリーダ１からカード２を引き抜くときのカード２の引抜力は、１．５ｋｇ以上で３．５ｋｇ以下となっている。具体的には、カードリーダ１にカード２が挿入され、かつ、レバー部材８が閉位置８Ａに配置されている状態で、カードリーダ１からカード２を引き抜くときのカード２の引抜力は、２ｋｇ以上で３ｋｇ以下となっている。なお、第１当接面８ｇと第２当接面８ｈとの境界の位置を変更することで、カードリーダ１にカード２が挿入され、かつ、レバー部材８が閉位置８Ａに配置されている状態で、カードリーダ１からカード２を引き抜くときのカード２の引抜力を任意に設定することが可能である。
【００６１】
（本形態の主な効果）
以上説明したように、本形態では、カード通過路３の一部を閉鎖するカード当接部８ｄに、レバー部材８が閉位置８Ａに配置されているときにカードリーダ１に挿入されたカード２の手前端２ａが当接可能な第１当接面８ｇと、第１当接面８ｇに繋がるとともに第１当接面８ｇよりも下側に配置される第２当接面８ｈとが形成されている。第１当接面８ｇおよび第２当接面８ｈは、レバー部材８が閉位置８Ａに配置されている状態で左右方向から見たときに、下側に向かうにしたがって手前側へ向かうように傾斜する傾斜面となっているが、レバー部材８が閉位置８Ａに配置されている状態で左右方向から見たときに、上下方向に対する第１当接面８ｇの傾斜角度θ１は、上下方向に対する第２当接面８ｈの傾斜角度θ２よりも小さくなっている。そのため、本形態では、レバー部材８が閉位置８Ａに配置されているときに上下方向に対する傾斜角度θ１が小さくなっている第１当接面８ｇを用いて、カードリーダ１に挿入されたカード２が簡単に引き抜かれるのを防止することが可能になる。
【００６２】
また、本形態では、カード当接部８ｄは、レバー部材８が開位置８Ｂから閉位置８Ａへ移動するときに上側から下側に向かって移動し、第１当接面８ｇは、レバー部材８が閉位置８Ａに配置されているときに、下側に向かうにしたがって手前側へ向かうように傾斜する傾斜面になっている。そのため、本形態では、レバー部材８が閉位置８Ａに配置されている状態で、カードリーダ１から引き抜かれるカード２の手前端２ａが第１当接面８ｇに当接すると、カード当接部８ｄが上側へ向かう方向の力がレバー部材８に作用する。したがって、本形態では、レバー部材８が閉位置８Ａに配置されている状態で、カードリーダ１に挿入されたカード２をある程度の力で引き抜こうとすれば、カード当接部８ｄを上側に向かって移動させ始めることが可能になる。
【００６３】
また、カード当接部８ｄが上側に向かって移動し始めると、第１当接面８ｇに当接していたカード２の手前端２ａを第２当接面８ｈに当接させることが可能になる。上下方向に対する第２当接面８ｈの傾斜角度θ２は、上下方向に対する第１当接面８ｇの傾斜角度θ１より大きくなっているため、カード２の手前端２ａが第２当接面８ｈに当接した後は、比較的小さな力でカード２を引き抜こうとしても、上側に向かってカード当接部８ｄを移動させることが可能になる。このように本形態では、レバー部材８が閉位置８Ａに配置されている状態で、カードリーダ１に挿入されたカード２をある程度の力で引き抜こうとすれば、カード当接部８ｄを上側に向かって移動させることが可能になるため、レバー部材８が移動機構９の故障等によって自動で動かなくなった場合には、カード２を破損させることなくカードリーダ１からカード２を引き抜くことが可能になる。
【００６４】
本形態では、回動中心軸２４は、カード当接部８ｄよりも奥側に、かつ、カード通過路３よりも上側に配置されるとともに、軸支持部材２５の手前端側部分に支持されている。また、本形態では、軸支持部材２５の奥端側部分の１箇所が本体フレーム４に固定されており、軸支持部材２５の手前端側部分は、本体フレーム４に固定されていない。そのため、本形態では、レバー部材８が閉位置８Ａに配置されている状態で、カードリーダ１から引き抜かれるカード２の手前端２ａが第１当接面８ｇに当接したときに、軸支持部材２５の手前端側部分を上側へ移動させやすくなり、回動中心軸２４およびレバー部材８を上側へ移動させやすくなる。
【００６５】
すなわち、本形態では、レバー部材８が閉位置８Ａに配置されている状態で、カードリーダ１から引き抜かれるカード２の手前端２ａが第１当接面８ｇに当接したときに、カード当接部８ｄを上側へ移動させやすくなる。したがって、本形態では、レバー部材８が自動で動かなくなった場合にカードリーダ１からカード２を引き抜くときのカード２の破損を効果的に防止することが可能になる。また、カードリーダ１の損傷を効果的に防止することが可能になる。
【００６６】
また、本形態では、回動中心軸２４の他端側が本体フレーム４の軸支持部４ａに支持されているため、カードリーダ１から引き抜かれるカード２の手前端２ａが第１当接面８ｇに当接したときに、軸支持部材２５の手前端側部分を上側へ移動させやすくなっていても、カード２を引き抜こうとする力が弱い場合には、回動中心軸２４およびレバー部材８が上側へ移動するのを防止することが可能になる。したがって、本形態では、カード２を引き抜こうとする力が弱い場合には、カード当接部８ｄが上側に向かって移動するのを防止することが可能になり、その結果、カードリーダ１に挿入されたカード２が簡単に引き抜かれるのを防止することが可能になる。
【００６７】
また、本形態では、カードリーダ１にカード２が挿入され、かつ、レバー部材８が閉位置８Ａに配置されている状態で、カードリーダ１からカード２を引き抜くときのカード２の引抜力が１．５ｋｇ以上で３．５ｋｇ以下となっているため、カードリーダ１にカード２が挿入され、かつ、レバー部材８が閉位置８Ａに配置されている状態において、カードリーダ１に挿入されたカード２を親指と人差指とで摘まんで簡単に引き抜くことはできないが、レバー部材８が移動機構９の故障等によって自動で動かなくなれば、親指と人差指とでカード２を摘まんでカード２を引き抜くことが可能になる。
【００６８】
なお、本形態では、レバー部材８が閉位置８Ａに配置されるとともに、カード２の外部接続端子とＩＣ接点バネ５とが接触してデータの通信を行っているときに、ユーザがカードリーダ１からカード２を引き抜こうとしても、カードリーダ１に挿入されたカード２を親指と人差指とで摘まんで簡単に引き抜くことはできないため、カードリーダ１からカード２を引き抜こうとしているユーザは、一般に、データの通信が行われていることに気付く。
【００６９】
本形態では、レバー部材８が閉位置８Ａに配置されているときの、第１当接面８ｇと第２当接面８ｈとの境界部分とカード２の下面との上下方向の距離Ｌは、カード２の厚さｔと略等しくなっている。そのため、本形態では、カード当接部８ｄが上側に向かって移動し始めたときに、第１当接面８ｇに当接していたカード２の手前端２ａを第２当接面８ｈに当接させやすくなる。
【００７０】
本形態では、第１当接面８ｇと第２当接面８ｈとの境界部分、および、カード当接部８ｄの下端面８ｋと第２当接面８ｈとの境界部分に、Ｒ加工が施されている。そのため、本形態では、レバー部材８が自動で動かなくなった場合にカード２を引き抜くときの、カード２の傷の発生を抑制することが可能になる。
【００７１】
（他の実施の形態）
上述した形態は、本発明の好適な形態の一例ではあるが、これに限定されるものではなく本発明の要旨を変更しない範囲において種々変形実施が可能である。
【００７２】
上述した形態では、第１当接面８ｇと第２当接面８ｈとの２個の当接面によってカード当接部８ｄの奥端面が構成されているが、カード当接部８ｄの奥端面は、３個以上の当接面によって構成されていても良い。また、上述した形態において、軸支持部材２５の手前端側部分が本体フレーム４に固定されていても良い。さらに、上述した形態では、回動中心軸２４の他端側は、本体フレーム４の軸支持部４ａに支持されているが、回動中心軸２４の他端側は、軸支持部材２５に支持されていても良い。また、上述した形態において、カードリーダ１は、磁気ヘッド７を備えていなくても良い。
【００７３】
上述した形態において、軸支持部４ａによって、回動中心軸２４の他端側の上下両側への移動が規制されていても良い。この場合には、レバー部材８が閉位置８Ａに配置されている状態で、カードリーダ１から引き抜かれるカード２の手前端２ａが第１当接面８ｇに当接したときに、軸支持部材２５の側面部２５ａの手前端側部分が上側へ移動しにくくなるため、カード２を引き抜こうとする力が弱い場合に、回動中心軸２４およびレバー部材８が上側へ移動するのを効果的に防止することが可能になる。一方、上述した形態のように、回動中心軸２４の他端側の下端と凹部の下側面との間には隙間が形成されている場合には、レバー部材８が閉位置８Ａに配置されている状態で、カードリーダ１から引き抜かれるカード２の手前端２ａが第１当接面８ｇに当接したときに、軸支持部材２５の側面部２５ａの手前端側部分を上側へより移動させやすくなる。
【００７４】
また、上述した形態において、軸支持部４ａの凹部の奥端に形成される開口部の上下方向の幅が、回動中心軸２４の他端側の外径より小さくなっていても良い。すなわち、軸支持部４ａによって、回動中心軸２４の他端側の前後両側への移動が規制されていても良い。
【００７５】
上述した形態では、カード２は、厚さが０．７〜０．８ｍｍ程度の塩化ビニール製のカードであるが、カード２は、厚さが０．１８〜０．３６ｍｍ程度のＰＥＴ（ポリエチレンテレフタレート）カードであっても良いし、所定の厚さの紙カード等であっても良い。また、上述した形態では、カードリーダ１は、手動式のカードリーダであるが、カードリーダ１は、カード２を自動で搬送するカード搬送機構を有するカード搬送式のカードリーダであっても良い。
【符号の説明】
【００７６】
１  カードリーダ
２  カード
２ａ  カードの手前端
３  カード通過路
４  本体フレーム
４ａ  軸支持部
８  レバー部材（引抜き防止部材）
８Ａ  閉位置
８Ｂ  開位置
８ｄ  カード当接部
８ｇ  第１当接面
８ｈ  第２当接面
９  移動機構
２４  回動中心軸
２５  軸支持部材
Ｘ  カードの通過方向
Ｘ１  奥側（カードの挿入方向側）
Ｘ２  手前側（カードの引抜き方向側）
Ｙ  カードの幅方向
Ｚ  カードの厚さ方向
Ｚ１  第１方向側
Ｚ２  第２方向側
θ１  第１当接面の傾斜角度
θ２  第２当接面の傾斜角度
【図１】
2018116415.tif 000003
【図２】
2018116415.tif 000004
【図３】
2018116415.tif 000005
【図４】
2018116415.tif 000006
【図５】
2018116415.tif 000007
【図６】
2018116415.tif 000008